(57)【要約】【課題】測定品質の低下を招くことなく、広い測定帯域を有する光スペクトル測定装置を提供する。【解決手段】入射光を分光し、スリットから出射する回折格子分光器と、受光特性の異なる複数個のフォトダイオードセンサを前記スリットからの出射光の進行方向に直交する平面上に並べた移動台と、いずれかのフォトダイオードセンサに出射光が入射する状態に移動台を移動させる駆動機構と、を備える光スペクトル測定装置。【選択図】図１
2018100830.tif 000002
【特許請求の範囲】
【請求項１】
入射光を分光し、スリットから出射する回折格子分光器と、
受光特性の異なる複数個のフォトダイオードセンサを前記スリットからの出射光の進行方向に直交する平面上に並べた移動台と、
いずれかのフォトダイオードセンサに前記出射光が入射する状態に前記移動台を移動させる駆動機構と、
を備えることを特徴とする光スペクトル測定装置。
【請求項２】
前記スリットは、前記入射光の非分散方向に延びた形状であることを特徴とする請求項１に記載の光スペクトル測定装置。
【請求項３】
前記複数個のフォトダイオードセンサは、前記入射光の分散方向に並んでおり、
前記駆動機構は、前記移動台を前記入射光の分散方向に移動させることを特徴とする請求項１または２に記載の光スペクトル測定装置。
【請求項４】
前記複数個のフォトダイオードセンサは、１つのパッケージに収容されていることを特徴とする請求項１〜３のいずれか１項に記載の光スペクトル測定装置。
【発明の詳細な説明】
【技術分野】
【０００１】
本発明は、回折格子分光器を使用した光スペクトル測定装置に関する。
【背景技術】
【０００２】
光スペクトル測定装置は、入力光に対して、各波長に対応した光パワーを分光により測定して分析を行なう測定器であり、光ファイバ伝送システムの評価や光通信用デバイスの特性評価を目的とした測定等に広く使用されている。
【０００３】
図８は、従来の光スペクトル測定装置５００の測定原理を示す図である。測定対象の入力光は、光バンドパスフィルタ５２１で、狭い波長スロットに分割され、フォトダイオード５４０で電気信号に変換される。そして、増幅器５５０で増幅され、Ａ／Ｄ変換器５６０でデジタル信号に変換される。
【０００４】
光バンドパスフィルタ５２１の中心波長を掃引させることで得られる信号をプロットしていくことで光スペクトラムが得られ、表示装置５７０に測定結果として表示される。この光バンドパスフィルタ５２１は，回折格子を波長分散素子として使用したメカニカルな装置でモノクロメータと呼ばれる。光バンドパスフィルタ５２１では、回転ステージ上に配された回折格子の角度を、モータを備えた位置制御部５２６で変更することにより中心波長を掃引させる。
【先行技術文献】
【特許文献】
【０００５】
【特許文献１】特開平２−８５７２９号公報
【発明の概要】
【発明が解決しようとする課題】
【０００６】
光スペクトル測定装置は、使用する光学素子の特性によって測定帯域が制限される。例えば、回折格子の回折効率により分光器を透過できる光の帯域が制限される。また、分光器を透過した光についても、フォトダイオードの受光感度の範囲内でないと電気信号に変換できず、測定不能となる。このため、測定帯域に合わせて適切な光学素子を選択する必要がある。
【０００７】
例えば、光スペクトル測定装置のフォトダイオードとして一般的に用いられているＩｎＧａＡｓのセンサは、８００ｎｍ〜１７００ｎｍの近赤外領域に高い感度を有しているが、これよりも短波長あるいは長波長の範囲では感度が急激に低下する。
【０００８】
このため、短波長側を測定する場合には、例えば、４００ｎｍ〜１１００ｎｍの範囲で感度が優れるＳｉセンサを搭載したフォトダイオードが用いられる。しかしながら、Ｓｉフォトダイオードもこの範囲外では感度が急激に低下する。
【０００９】
そこで、広い測定帯域を実現するために、特性の異なる２つのフォトダイオードを波長範囲に合わせて切り換えることが考えられる。例えば、図９に示すような、フォトダイオードのパッケージの中に感度帯域が異なる２つのセンサ（第１センサ５８１、第２センサ５８２）を同軸上に並べた市販の同軸複合フォトダイオード５８０を利用することが考えられる。本図において、同軸複合フォトダイオード５８０の前段には、スリット５９１と光学フィルタ５９２とを配置している。
【００１０】
同軸複合フォトダイオード５８０では、第２センサ５８２で受光する範囲の波長の光は、第１センサ５８１を透過して、第２センサ５８２に入射することになる。このため、受光するセンサの切り替えを電気的に行うことができ、機構的な切り替えの必要がなく、測定速度を遅くすることなく測定帯域を広げることができる。
【００１１】
しかし、第２センサ５８２で測定する光が第１センサ５８１を通過することによりいくつかの問題が発生する。
【００１２】
第１の問題は、測定波形にリップルが乗ってしまうことである。第１センサ５８１が平行平板になっているため、図１０のように入射光の一部が第１センサ５８１の端面間で反射してしまい、干渉が起こる。このため図１１のように第２センサ５８２での光スペクトルの測定結果に、第１センサ５８１の厚みに応じたリップルが載ってしまい、正確な測定を行うことができない。
【００１３】
このリップルの周期波長λＦＳＲは下記の［数１］で求めることができる。ここで、λは波長、ｎは第１センサ５８１の屈折率、Ｌは第１センサ５８１の厚さである。
【数１】
2018100830.tif 000003
例として、λ＝１５３０ｎｍ、ｎ＝３．４８、Ｌ＝０．２５ｍｍとすると、現われるリップルの周期波長λＦＳＲは１．３５ｎｍとなる。このとき、測定器の分解能が周期波長以上の広さである場合、このリップルは平均化され、目立たなくなる。つまり高分解能な測定をする場合に顕著に見える問題となる。図８で示すような光スペクトル測定装置５００は、一般的に１００ｐｍ以下の高分解能な測定を行なうため、大きな問題となってしまう。
【００１４】
第２の問題は、測定効率が低下してしまうことである。同軸複合フォトダイオード５８０では、感度がクロスするポイントでセンサを切り替えることが想定されるが、第２センサ５８２で測定する範囲で、第１センサ５８１に感度のある範囲があると、この分の光が第１センサ５８１に吸収されてしまうことになる。この結果、第２センサ５８２に到達する光が減ってしまい、感度がクロスしている範囲での測定効率が、著しく低下してしまうことになる。
【００１５】
そこで、本発明は、測定品質の低下を招くことなく、広い測定帯域を有する光スペクトル測定装置を提供することを目的とする。
【課題を解決するための手段】
【００１６】
上記課題を解決するため、本発明の光スペクトル測定装置は、入射光を分光し、スリットから出射する回折格子分光器と、受光特性の異なる複数個のフォトダイオードセンサを前記スリットからの出射光の進行方向に直交する平面上に並べた移動台と、いずれかのフォトダイオードセンサに前記出射光が入射する状態に前記移動台を移動させる駆動機構と、を備えることを特徴とする。
ここで、前記スリットは、前記入射光の非分散方向に延びた形状とすることができる。
また、前記複数個のフォトダイオードセンサは、前記入射光の分散方向に並んでおり、前記駆動機構は、前記移動台を前記入射光の分散方向に移動させることができる。
また、前記複数個のフォトダイオードセンサは、１つのパッケージに収容されていてもよい。
【発明の効果】
【００１７】
本発明によれば、測定品質の低下を招くことなく、広い測定帯域を有する光スペクトル測定装置が提供される。
【図面の簡単な説明】
【００１８】
【図１】本実施形態の光スペクトル測定装置の基本構成を示すブロック図である。
【図２】並列フォトダイオードの第１例を示す図である。
【図３】並列フォトダイオードの移動方向を説明する図である。
【図４】第１例のスリットの形状を示す図である。
【図５】並列フォトダイオードの移動の様子を示す図である。
【図６】並列フォトダイオードの第２例を示す図である。
【図７】第２例のスリットの形状を示す図である。
【図８】従来の光スペクトル測定装置の測定原理を示す図である。
【図９】同軸複合フォトダイオードを説明する図である。
【図１０】リップルの発生原因を説明する図である。
【図１１】リップルが乗った測定結果を示す図である。
【発明を実施するための形態】
【００１９】
本発明の実施の形態について図面を参照して説明する。図１は、本実施形態の光スペクトル測定装置の基本構成を示すブロック図である。本図に示すように、光スペクトル測定装置１００は、回折格子分光器１２０、並列フォトダイオード１４０、増幅器１５０、Ａ／Ｄ変換器１６０、表示装置１７０、制御部１８０、駆動部１９０を備えている。
【００２０】
回折格子分光器１２０は、回折格子を波長分散素子として使用したモノクロメータで構成された光バンドパスフィルタ１２１と、回転ステージ上に配された回折格子の角度を、モータを用いて変更することにより中心波長を掃引させる位置制御部１２６を備えている。増幅器１５０、Ａ／Ｄ変換器１６０、表示装置１７０については従来と同様である。
【００２１】
本図に示すように、本実施形態では、複数のフォトダイオードセンサを、各受光面が同一面上になるように配置した並列フォトダイオード１４０を用いている。
【００２２】
図２は、並列フォトダイオード１４０の第１例を示す図である。並列フォトダイオード１４０の第１例では、測定帯域が異なる第１フォトダイオード１４１と第２フォトダイオード１４２とをブロック（移動台）１４８に載せた構成となっている。第１フォトダイオード１４１の受光面と第２フォトダイオード１４２の受光面とが、スリット１２２からの出射光の進行方向に直交する平面上に並んでいる。なお、並列に配置するフォトダイオードは２個に限られず３個以上であってもよい。
【００２３】
このブロック１４８を、駆動部１９０を用いて移動させることで、スリット１２２を通過した光をいずれかのフォトダイオードに入射させる。駆動部１９０は、例えば、ステッピングモータとすることができ、移動方向は図示するようにフォトダイオードが並んだ方向とする。また、移動制御は、制御部１８０により行なわれる。
【００２４】
ここで、フォトダイオードを並べる方向、すなわち、並列フォトダイオード１４０の移動方向は、図３に示すように、回折格子分光器１２０の分散方向と一致させている。
【００２５】
本実施形態において、スリット１２２は、図４に示すように、ピンホールではなく、非分散方向に延びた横長形状となっている。回折格子分光器１２０の分散方向の細さが測定波形の分解能やシャープさにつながってくることから、スリット１２２の短手方向が回折格子分光器１２０の分散方向になるようにしている。これに対し、非分散方向の細さは測定波形や分解能に影響しないため、幅広とすることで、センサへの受光効率を高めるようにしている。
【００２６】
ただし、非分散方向のスリット幅を極端に長くすることは困難である。なぜならば、スリット１２２から光を出力させるにはスリット１２２上に光を結像させる必要があるが、非分散方向に長くなるにつれ結像ビームのサイズが大きくなってしまう。これは光を結像させるための役割を果たすレンズの収差の影響を受けてしまうためである。よって非分散方向のスリット幅は、１ｍｍ程度が一般的である。これは、フォトダイオードの受光面の大きさと、ほぼ同じサイズである。
【００２７】
一般に、光スペクトル測定装置では、フォトダイオードの位置を自動的に最適な高さに調整するためのアライメント機構が搭載されている。並列フォトダイオード１４０を移動させる駆動部１９０は、このアライメント機構を利用するようにしてもよい。
【００２８】
図５は、並列フォトダイオード１４０の移動の様子を示す図である。図５（ａ）は、第１フォトダイオード１４１にスリット１２２を通過した光が入射している状態を示し、図５（ｂ）は、第２フォトダイオード１４２にスリット１２２を通過した光が入射している状態を示している。制御部１８０は、駆動部１９０を制御することで、この２つの状態を測定帯域に応じて切り換える。
【００２９】
上述のように、本実施形態では、２つのフォトダイオードを、回折格子分光器１２０の分散方向に並べている構造となっている。フォトダイオードのセンサの形状は円形や、正方形になっているものが一般的であるが、図４に示したように、センサ面で受光する光の形は、スリット１２２の影響で非分散方向に長い形となっている。このため、分散方向の光の径は小さく、センサの受光径に対して余裕があることになる。これにより、フォトダイオード切替時のモータの静止位置精度による、センサの受光レベルの変動を抑えることができ、安定した測定を行なうことができる。
【００３０】
これに対して、非分散方向にフォトダイオードを並べると、スリット１２２の長手方向にフォトダイオードを移動することになる。そうすると、フォトダイオードの位置ずれにより、受光する光がセンサから外れやすくなってしまう。つまり、フォトダイオードの受光レベルの位置感度が高くなり、安定した測定が困難になる。
【００３１】
光がセンサから外れないように、センサ面積を大きくすることも考えられる。しかし、センサを大きくすると、フォトダイオードの特性として一般的に雑音レベルが上がり、測定器としての感度が低下してしまう。このため、安易にセンサ面積を大きくすることはできない。従って、本実施形態のように、分散方向に並べる配置が有効である。
【００３２】
図５に示したように、本実施形態の光スペクトル測定装置１００では、２つのフォトダイオードを並列配置とすることで各センサがそれぞれ独立して受光できるようになる。これにより、同軸複合フォトダイオード５８０を用いた場合に生じる、第１センサ５８１を透過することによる、感度がクロスするポイントでの測定効率低下、端面間反射によるリップルの影響を回避することができる。このため、測定品質の低下を招くことなく、広い波長範囲での高分解能かつ正確な光スペクトル測定が可能になる。
【００３３】
また、同軸複合フォトダイオード５８０では、構造上、第１センサ５８１に独立して冷却機構を設けることができない。一般に、フォトダイオードのセンサは受光感度を量子効率として表すことができるが、この効率には温度依存性がある。このため、通常はセンサを冷却素子上に配置して一定の温度に保っているが、同軸複合フォトダイオード５８０では、第１センサ５８１に独立して冷却機構を設けることができないことから、第１センサ５８１の感度特性が温度に依存して変化してしまうという懸念があった。
【００３４】
しかしながら、本実施形態の並列フォトダイオード１４０では、それぞれのフォトダイオードを冷却素子上に配置することができる。このため、温度上昇を防ぎ、センサの温度変化による感度特性の変化を抑え、測定波形への影響を回避することができる。
【００３５】
並列フォトダイオード１４０の構成の例として、第１フォトダイオード１４１にＳｉ、第２フォトダイオード１４２にＩｎＧａＡｓを組み合わせることで、３００〜１８００ｎｍの波長範囲において感度を確保することができる。この複合素子を回折格子分光器１２０と組み合わせることで、広い測定帯域において高分解能かつ高感度な光スペクトル測定装置１００を実現することができる。
【００３６】
次に、並列フォトダイオード１４０の第２例について、図６を参照して説明する。並列フォトダイオード１４０の第１例では、独立したパッケージに収容されたセンサを複数個並べた構成を挙げたが、第２例は、１つのパッケージに複数個の異なるセンサを並べた構成である。本図の例では、冷却素子１４５上に第１センサ１４３と第２センサ１４４とを分散方向に並べて配置し、ブロック１４９上に載せている。
【００３７】
この場合も、ブロック（移動台）１４９を、駆動部１９０を用いて移動させることで、スリット１２２を通過した光をいずれかのセンサに入射させる。また、図７に示すように、スリット１２２は、非分散方向に延びた横長のスリットとすることで、高分解能かつ広帯域な測定を安定して行なうことができる。
【００３８】
さらに、第２例では、２つのセンサ間の距離を極めて短くすることができるため、移動距離が小さくなり、センサに切り換えにかかる時間をより短縮することができる
第１例、第２例とも、並列に採用するセンサは、ＳｉとＩｎＧａＡｓが代表的であるが、同素材のセンサでもタイプによって感度波長範囲が異なるため、適宜選択して組み合わせることで、広い感度波長範囲を実現することができる。また、別素材のセンサを用いてもよい。
【００３９】
このとき、センサの組み合わせによっては感度が低くなる波長範囲が存在したり、センサの電気的なノイズが大きくなってしまう可能性があるため、選択には注意が必要である。しかしながら、センサを適切に組み合わせることで、感度波長範囲２００〜２５００ｎｍ程度の広帯域を実現する可能性がある。このように、本実施形態によれば、広帯域で高分解能かつ高感度な光スペクトル測定装置１００を実現することができる。
【符号の説明】
【００４０】
１００…光スペクトル測定装置、１２０…回折格子分光器、１２１…光バンドパスフィルタ、１２２…スリット、１２６…位置制御部、１４０…並列フォトダイオード、１４１…第１フォトダイオード、１４２…第２フォトダイオード、１４３…第１センサ、１４４…第２センサ、１４５…冷却素子、１４８…ブロック、１４９…ブロック、１５０…増幅器、１６０…Ａ／Ｄ変換器、１７０…表示装置、１８０…制御部、１９０…駆動部
【図１】
2018100830.tif 000004
【図２】
2018100830.tif 000005
【図３】
2018100830.tif 000006
【図４】
2018100830.tif 000007
【図５】
2018100830.tif 000008
【図６】
2018100830.tif 000009
【図７】
2018100830.tif 000010
【図８】
2018100830.tif 000011
【図９】
2018100830.tif 000012
【図１０】
2018100830.tif 000013
【図１１】
2018100830.tif 000014